(57)【要約】【課題】熱交換器とドレンパン内壁側面との接触を防止し、つねに適切なクリアランスを確保することにより、結露の発生、凝縮水の飛散および異音発生を抑制した天井埋込型空気調和機器のドレンパン構造を提案する。【解決手段】送風ファンの周囲に熱交換器を配置し、かつ熱交換器より発生する凝縮水を受けるためのドレンパンを前記筐体の下面に収納配置し、該ドレンパンの外周４方向に吹出口を設けるとともに、中央部には空気の吸込口を形成するベルマウスを固定配置し、空気の吹出口および吸込口を有する化粧パネルとから構成されている空気調和機において、前記ドレンパン内壁側面に凸状リブを配置し、該ドレンパン組込時に前記凸状リブが熱交換器とのストッパとなることで、ドレンパン内壁側面と熱交換器の接触を抑制し、適切なクリアランスを確保することができる。【選択図】  図１
2013204874.tif 000002
【特許請求の範囲】
【請求項１】
筐体の上面側中央に配置され、下面に形成された吸込口からの空気を吸い込む送風ファンと、
該送風ファンを駆動するファンモータと、
前記送風ファンの外周方向外側に配置され、かつ、前記筐体の上下方向に沿うように形成された熱交換器と、
該熱交換器より発生する凝縮水を前記筐体の下面側で受けるためのドレンパンと、
該ドレンパンの外周方向外側に配置され、かつ、前記筐体の下面側に形成され、さらに前記送風ファンにより吸い込まれた空気が前記熱交換器により熱交換された後に吹出される吹出口と、から構成される空気調和機において、
前記ドレンパンは、前記熱交換器を外周方向外側から覆う壁面に前記熱交換器側に向かって凸となるように凸部が形成され、該凸部が前記熱交換器と接触することにより、前記ドレンパンと前記熱交換器との間のクリアランスが形成されることを特徴とする空気調和機。
【請求項２】
請求項１に記載の空気調和機において、
前記凸部は、前記ドレンパンの前記壁面の上端位置よりも低い位置に形成されたことを特徴とする空気調和機。
【請求項３】
請求項１に記載の空気調和機において、
前記凸部は、熱交換器との接触面の形状が略三角形状であることを特徴とする空気調和機。
【請求項４】
請求項１に記載の空気調和機において、
前記凸部は、前記熱交換器との接触面に対して、同一形状で並列に複数配置されたことを特徴とする空気調和機。
【請求項５】
請求項１に記載の空気調和機において、
前記凸部は、前記熱交換器を保持・固定するための固定金具の端部に設けられた凸状ガイド部を前記ドレンパンと前記固定金具との間に挟み込むように形成されたことを特徴とする空気調和機。
【請求項６】
請求項１に記載の空気調和機において、
前記凸部は、前記ドレンパンと一体成形されたことを特徴とする空気調和機。
【請求項７】
請求項１に記載の空気調和機において、
前記ドレンパンの前記壁面の上端部形状を、外周方向外側に向かって、前記吹出口の長辺方向の全幅もしくは任意の幅に、任意の角度に傾斜を有する形状としたことを特徴とする空気調和機。
【発明の詳細な説明】
【技術分野】
【０００１】
本発明は、空気調和機に関して、より詳細には筐体の内部天井面へ吊り下げ固定支持された熱交換器の下部に設置するドレンパン構造に関するものである。
【背景技術】
【０００２】
従来、天井埋込型空気調和機は、図５（Ａ）のような断面図で示した部品構成となっている。まず天井内へ埋め込まれる製品の外郭である筐体１は、下面が開口された箱型の形状をしており、該筐体１の内部天井面の中央に、上下方向に駆動シャフトを有したファンモータ２および送風ファン３が配置され、それらの周囲には複数個の固定金具４によって吊り下げられた状態で、熱交換器５が固定されており、かつ熱交換器５より発生する凝縮水を受けるためのドレンパン６が、前記筐体１の下面に収納配置され、該ドレンパン６は外周囲４方向に吹出口９を形成し、且つ中央部には空気の吸込口１０を形成するベルマウス７が固定配置され、さらに空気の吹出口９および吸込口１０を有する化粧パネル１１との組み合わせにより構成されている。ここで前記固定金具４の端部には、略断面Ｊ字型の曲げ部４ａを有しており、これら複数個の固定金具４を用いて、前記略断面Ｊ字型の曲げ部４ａを熱交換器５の底面部に引掛け嵌合させ、筐体１の内部天井面にネジ８にて該固定金具４を締結することにより、熱交換器５全体を吊り下げる構造となっている。
【０００３】
そして送風ファン３をファンモータ２によって回転させることにより、室内の空気を化粧パネル１１の吸込口１０より吸い込み、ベルマウス７を介し、熱交換器５を通過させ、熱交換させた後の空気を吹出口９から吹き出すことによって、空気調和を行うものである。
【０００４】
ここでドレンパン６を筐体１の下面に収納配置した状態において、吸込口１０から効率よく空気を吸い込むためには、ベルマウス７と送風ファン３を最適となる位置関係、つまり上下方向の同軸上に配置することが最も重要であり、熱交換器５の底面部とドレンパン６の内壁側面とのクリアランスに関しては、あまり注視されておらず、一般的な天井埋込型空気調和器の組立工程においては、図５（Ａ）の断面図で示した部品構成が反転した状態での作業となるため、具体的には筐体１の開口部が上面となり、ドレンパン６を上面から筐体１へ被せるような作業となることから、目視で双方のクリアランスを確認することができず、実際のクリアランス変動を容易に把握することが実情、困難である。
【０００５】
それに対して、図５（Ｂ）に示した特開２０００−１１１０８８号公報（特許文献１）で開示された天井埋込型空気調和機においては、ドレンパン６の内部に熱交換器５の底面部を保持するための支持リブ１２を複数配置し、熱交換器５の自重によるドレンパン６の変形を防止すると同時に、該熱交換器５を嵌合固定させるためのツメ形状１３ａを有した固定リブ１３を設けることで、熱交換器５を適切な位置に固定することができ、ドレンパン６の内壁側面と熱交換器５のクリアランス変動を抑制している構造としている。
【先行技術文献】
【特許文献】
【０００６】
【特許文献１】特開２０００−１１１０８８号公報
【発明の概要】
【発明が解決しようとする課題】
【０００７】
図５（Ａ）にて示した、筐体の内部天井面に熱交換器を吊り下げた状態で固定、保持する構造である一般的な従来の天井埋込型空気調和機においては、次のような問題点があった。
【０００８】
まず熱交換器本体の寸法および熱交換器を筐体へ固定する際の作業の影響やドレンパン本体の寸法バラツキを含め、前記ドレンパンを筐体の下面に収納配置した際に、熱交換器がドレンパン内壁側面に接触、もしくは充分なクリアランスを確保することができないといった不具合が発生し、ドレンパン内壁側面の接触部が、熱交換器によって冷されることにより、吹出口の表面に結露が発生し、また熱交換器より発生する凝縮水が、接触によって直接ドレンパン上端部に伝達することによって、吹出口から機外へ滴下・飛散するといった不具合が生じていた。
【０００９】
また過大な接触によっては、熱交換器からの振動伝播や、温度変化によるキシミ音発生などの異音発生の不具合も懸念される。
【００１０】
また図５（Ｂ）にて示した特開２０００−１１１０８８号公報で示された構造においては、ドレンパン内面に設けられたツメ形状を有したリブによって、熱交換器を任意の位置に保持、固定することで、ドレンパン内壁側面と熱交換器とのクリアランスを確保することができ、接触による不具合の発生を抑制することが可能であるが、本構造においては熱交換器の底面を保持するためのリブが、任意の高さで複数設けられているため、ドレンパン本体に回収、停滞する低温の凝縮水のよるドレンパン本体底面部への結露対策に必要な、断熱構造スペースの確保が困難であり、結果的にドレンパン本体高さが増加してしまい、コストアップの要因となることが懸念される。
【００１１】
本発明は、上記課題を解決するためになされたものであり、熱交換器とドレンパン内壁側面のクリアランスを確保し、凝縮水の飛散および異音発生を抑制する空気調和機を提供することを目的とする。
【課題を解決するための手段】
【００１２】
上記課題を解決するために、請求項１に係わる空気調和機は、筐体の上面側中央に配置され、下面に形成された吸込口からの空気を吸い込む送風ファンと、該送風ファンを駆動するファンモータと、前記送風ファンの外周方向外側に配置され、かつ、前記筐体の上下方向に沿うように形成された熱交換器と、該熱交換器より発生する凝縮水を前記筐体の下面側で受けるためのドレンパンと、該ドレンパンの外周方向外側に配置され、かつ、前記筐体の下面側に形成され、さらに前記送風ファンにより吸い込まれた空気が前記熱交換器により熱交換された後に吹出される吹出口と、から構成される空気調和機において、前記ドレンパンは、前記熱交換器を外周方向外側から覆う壁面に前記熱交換器側に向かって凸となるように凸部が形成され、該凸部が前記熱交換器と接触することにより、前記ドレンパンと前記熱交換器との間のクリアランスが形成されることを特徴とする。
【００１３】
また請求項２に係わる空気調和機は、前記凸部は、前記ドレンパンの前記壁面の上端位置よりも低い位置に形成されたことを特徴としている。
【００１４】
また請求項３に係わる空気調和機は、前記凸部は、熱交換器との接触面の形状が略三角形状であることを特徴とする。
【００１５】
また請求項４に係わる空気調和機は、前記凸部は、前記熱交換器との接触面に対して、同一形状で並列に複数配置されたことを特徴とする。
【００１６】
また請求項５に係わる空気調和機は、前記凸部は、前記熱交換器を保持・固定するための固定金具の端部に設けられた凸状ガイド部を前記ドレンパンと前記固定金具との間に挟み込むように形成されたことを特徴とする。
【００１７】
また請求項６に係わる空気調和機は、凸部は、前記ドレンパンと一体成形されたことを特徴とする。
【００１８】
また請求項７に係わる空気調和機は、前記ドレンパンの前記壁面の上端部形状を、外周方向外側に向かって、前記吹出口の長辺方向の全幅もしくは任意の幅に、任意の角度に傾斜を有する形状としたことを特徴とする。
【発明の効果】
【００１９】
本発明によれば、ドレンパン内壁側面と熱交換器の接触を抑制し、適切なクリアランスを確保することができるため、凝縮水の飛散を防止し、異音発生を抑制した空気調和機を提供することができる。
【図面の簡単な説明】
【００２０】
【図１】本発明の実施例における天井埋込型空気調和機の断面図。
【図２】図１の実施例におけるＡ部拡大図。
【図３】本発明の実施例におけるドレンパン内壁面の部分斜視図。
【図４】本発明の実施例における固定金具の略図。（Ａ）は一例を示し、（Ｂ）は他の例を示す。
【図５】従来例による天井埋込型空気調和機の断面図で（Ａ）は一例を示し、（Ｂ）は他の例を示す。
【発明を実施するための形態】
【００２１】
以下、本発明の実施例を図面に基づいて説明する。  
図１は本発明の実施例における天井埋込型空気調和機の部品構成を断面図で示したものである。天井内へ埋め込まれる製品の外郭である筐体１は、下面が開口された箱型の形状をしており、該筐体１の内部天井面の中央に上下方向に駆動シャフトを有したファンモータ２および送風ファン３が設置され、それらの周囲には複数個の固定金具４によって吊り下げられた状態で、熱交換器５が固定されており、かつ熱交換器５より発生する凝縮水を受けるためのドレンパン６が前記筐体１の下面に収納配置され、該ドレンパン６の外周囲４方向に吹出口９を形成し、且つ中央部には空気の吸込口１０を形成するベルマウス７が固定配置され、さらに空気の吹出口９および吸込口１０を有する化粧パネル１１により構成されている。
【００２２】
ここで図４（Ａ）（Ｂ）に示した熱交換器５を固定するための前記固定金具４の端部には、略断面Ｊ字型の曲げ部４ａを有しており、さらに前記略断面Ｊ字型の曲げ部４ａの平面部には、絞りもしくは折り曲げ加工により設けられた、凸状ガイド部４ｂあるいは４ｃが設けられている。これら複数個の固定金具４を用いて、前記略断面Ｊ字型の曲げ部４ａを熱交換器５の底面部に引掛け、筐体１の内部天井面にネジ８にて、該固定金具４を締結することにより、熱交換器５全体を吊り下げる構造となっている。
【００２３】
そして送風ファン３をファンモータ２によって回転させることにより、室内の空気を化粧パネル１１の吸込口１０より吸い込み、ベルマウス７を介し、熱交換器５を通過させ、熱交換させた後の空気を吹出口９より吹き出すことによって、空気調和を行うものである。
【００２４】
本実施形態において、図１および図２に示したようにドレンパン６は上方を開口した略断面凹形状をしており、吹出口９を形成する外壁面に対向した内壁側面に、凸状リブ６ａを配置し、該ドレンパン６を筐体１に組み込んだ際に、前記凸状リブ６ａが熱交換器５の表面に対し、接触することにより、ストッパの役割を果たし、熱交換器５の外形寸法バラツキや固定金具４およびネジ８による筐体１への固定位置ズレが発生した場合や、一方で成形部品であるドレンパン寸法のバラツキを配慮しても、つねにドレンパン内壁側面と熱交換器５との接触を防止し、適切なクリアランスを確保することができる。これらの作用により、接触による結露の発生、凝縮水の伝播、飛散ならびに異音発生を抑制することが期待できる。
【００２５】
より具体的に説明すると本実施例の空気調和機は、筐体１の上面側中央に配置され、下面に形成された吸込口１０からの空気を吸い込む送風ファン３と、送風ファン３を駆動するファンモータ２と、送風ファン３の外周方向外側に配置され、かつ、筐体１の上下方向に沿うように形成された熱交換器５と、熱交換器５より発生する凝縮水を前記筐体の下面側で受けるためのドレンパン６と、を備えている。また吹出口９は、ドレンパン６の外周方向外側に配置され、かつ、筐体１の下面側に形成され、さらに送風ファン３により吸い込まれた空気が熱交換器５により熱交換された後に吹出されるものである。そしてドレンパン６は、熱交換器５を外周方向外側から覆う壁面（熱交換器５側を向いた面）に熱交換器５側に向かって凸となるように凸状リブ６ａ（凸部）が形成され、凸状リブ６ａ（凸部）が熱交換器５と接触することにより、ドレンパン６と熱交換器５との間のクリアランスが形成される。
【００２６】
また図３に示したように、前記凸状リブ６ａの高さは、ドレンパン内壁側面の上端位置よりも低い位置に配置することにより、熱交換器５より発生した凝縮水が、該凸状リブ６ａの上端部に伝達し、吹出口９より滴下、飛散することなく、ドレンパン６内に回収することができる。
【００２７】
さらに前記凸状リブ６ａにおいて、熱交換器５と接触する面の形状を、略三角形とすることで、熱交換器５との接触面積の低減化を図り、接触による熱交換器５からの振動伝播や温度変化によるキシミ音発生などの異音発生の要因を低減することができる。
【００２８】
また凸状リブ６ａを熱交換器５と接触する方向に、少なくとも複数個の同一形状を任意もしくは等間隔で、並列に配置することにより、熱交換機５との局部的な接触による負荷を分散し、ドレンパン６の内壁側面の変形を防止するとともに、より適切なクリアランスを確保することが期待できる。
【００２９】
また熱交換器５を保持・固定するための固定金具４の端部に設けられた、凸状ガイド部４ｂあるいは４ｃをドレンパン６と固定金具４との間に挟み込むように、ドレンパン内壁側面に複数個の凸状リブ６ａを配置することにより、ドレンパン６を組み込む際に、位置合わせの役割を持つことができる。
【００３０】
なおこれらの凸状リブ６ａをドレンパン６本体と一体にて成形することで、安価で利便性のあるドレンパンを提供することができる。
【００３１】
さらに本発明の一例として、ドレンパン６の内壁側面の上端部形状を、該吹出口９の長辺方向の全幅もしくは任意の幅に、ドレンパン６の内壁側面に向かって任意の角度に傾斜を有する形状とすることにより、仮に該ドレンパン６の内壁側面上端部へ凝縮水が伝播した場合でも、傾斜の作用によって、吹出口９から機外への滴下、飛散を抑制することができる。
【符号の説明】
【００３２】
１  筐体
２  ファンモータ
３  送風ファン
４  固定金具
４ａ  略断面Ｊ字型の曲げ部
４ｂ、４ｃ  凸状ガイド部
５  熱交換器
６  ドレンパン
６ａ  凸状リブ
７  ベルマウス
８  ネジ
９  吹出口
１０  吸込口
１１  化粧パネル
１２  支持リブ
１３  固定リブ
１３ａ  ツメ形状
【図１】
2013204874.tif 000003
【図２】
2013204874.tif 000004
【図３】
2013204874.tif 000005
【図４】
2013204874.tif 000006
【図５】
2013204874.tif 000007